(57)【要約】【課題】輝度分布のムラが少ない良好な表示品位の光学シート、バックライト装置及びディスプレイ装置を提供する。【解決手段】入射面側から入射した光を、その光学特性を変換させて出射面側に出射する光学シート２０及びこれを用いたバックライト装置１０及びディスプレイ装置１において、光を拡散させる光拡散板２１と、入射面側から入射した光の一部を該入射面側に反射する再帰反射シート２３とを備え、光拡散板の入射面又は出射面を凹凸状に形成するとともに、再帰反射シート２３の入射面側への光の反射率を２０〜７０％にする。【選択図】図１
2009265616.tif 000002
【特許請求の範囲】
【請求項１】
入射面側から入射した光を、その光学特性を変換させて出射面側に出射する光学シートであって、
前記入射面側から順に、光を拡散させる光拡散板と、前記入射面側から入射した光の一部を該入射面側に反射する再帰反射シートとを少なくとも備え、
前記光拡散板は、その入射面又は出射面が凹凸状に形成されているとともに、
前記再帰反射シートは、入射面側への光の反射率が２０〜７０％に設定されていること
を特徴とする光学シート。
【請求項２】
前記再帰反射シートの前記反射率が、ランバート分布を有する拡散光を前記再帰反射シートの入射面側から前記再帰反射シートに入射した際に、前記拡散光の光線量に対する、前記再帰反射シートの入射面側から出射される光線量の比率であり、前記反射率２０〜７０％であることを特徴とする請求項１に記載の光学シート。
【請求項３】
前記再帰反射シートが、断面凸多角形状をなす複数の線状プリズムが並列に配列されたプリズムアレイを備えていることを特徴とする請求項１に記載の光学シート。
【請求項４】
前記プリズムアレイにおける前記線状プリズムの頂部が凸曲面状に形成されていることを特徴とする請求項３に記載の光学シート
【請求項５】
前記再帰反射シートが、断面半円弧状又は断面半楕円弧状の線状レンズが並列配置されたレンズアレイを備えていることを特徴とする請求項１に記載の光学シート。
【請求項６】
前記再帰反射シートが、２つの前記プリズムアレイを備え、これらプリズムアレイが互いの前記線状プリズムの延在方向を直交させて積層されていることを特徴とする請求項３又は４に記載の光学シート。
【請求項７】
前記再帰反射シートが、２つの前記レンズアレイを備え、これらレンズアレイが互いの前記線状レンズの延在方向を直交させて積層されていることを特徴とする請求項５に記載の光学シート。
【請求項８】
前記再帰反射シートが、断面凸多角形状をなす複数の線状プリズムが並列に配列されたプリズムアレイを備えるとともに、断面半円弧状又は断面半楕円弧状をなす線状レンズが並列配置されたレンズアレイを備え、これらプリズムアレイ及びレンズアレイが、それぞれの前記線状プリズムと前記線状レンズとの延在方向を直交させて積層されていることを特徴とする請求項１に記載の光学シート。
【請求項９】
前記再帰反射シートが、断面凸多角形状をなす複数の線状プリズムが並列に配列されたプリズムアレイを備えるとともに、断面半円弧状又は断面半楕円弧状をなす線状レンズが並列配置されたレンズアレイを備え、これらプリズムアレイ及びレンズアレイが、それぞれの前記線状プリズムと前記線状レンズとの延在方向を直交させて同一平面上に配列されていることを特徴とする請求項１に記載の光学シート。
【請求項１０】
前記再帰反射シートが、多角錐状をなす複数のプリズムが格子状に配置されたプリズムアレイを備えていることを特徴とする請求項１に記載の光学シート。
【請求項１１】
前記再帰反射シートが、円錐状をなす複数のプリズムが格子状に配置されたプリズムアレイを備えていることを特徴とする請求項１に記載の光学シート。
【請求項１２】
前記再帰反射シートが、マイクロレンズが格子状に配置されたマイクロレンズアレイを備えていることを特徴とする請求項１に記載の光学シート。
【請求項１３】
前記拡散部材の凹凸が中心線平均粗さＲａが３μｍ〜１０００μｍであることを特徴とする請求項１から１２のいずれか一項に記載の光学シート。
【請求項１４】
前記拡散部材と前記再帰反射シートとの間に少なくとも一枚の拡散フィルムを備えたことを特徴とする請求項１から１３のいずれか一項に記載の光学シート。
【請求項１５】
前記拡散部材の入射面側に拡散フィルムを備えたことを特徴とする請求項１から１４のいずれか一項に記載の光学シート。
【請求項１６】
前記再帰反射シートの出射面側側に拡散フィルムを備えたことを特徴とする請求項１から１５のいずれか一項に記載の光学シート。
【請求項１７】
請求項１から１６のいずれか一項に記載の光学シートと、
該光学シートの入射面側に配設された光源と、
該光源の背面側に配設された反射板とが備えられていることを特徴とするバックライト装置。
【請求項１８】
請求項１７に記載されたバックライト装置と、
該バックライト装置からの光照射によって画像表示を行う液晶表示素子とを備えているディスプレイ装置。
【発明の詳細な説明】
【技術分野】
【０００１】
本発明は、光源から入射した光を拡散して光出射面より均一な照明光を出射する光学シート、及びこの光学シートを備え、透明状態又は散乱状態に応じて表示パターンが規定される表示素子が配置された表示部を背面側から照明するバックライト装置、ディスプレイ装置に関する。
【背景技術】
【０００２】
近年、ＴＦＴ型表示部やＳＴＮ型表示部を使用した液晶表示装置が、主としてＯＡ分野のカラーノートＰＣ（パーソナルコンピュータ）や液晶テレビを中心に商品化されている。
この液晶表示装置に代表されるディスプレイ装置では、提供される情報を認識するのに必要な光源を内蔵しているタイプの普及が著しい。このような液晶表示装置は例えば光透過型であり、液晶パネルの背面側に光源を配設し、この光源からの光を面発光に変換して液晶パネルを照射する面光源装置としていわゆるバックライト装置が採用されている。
【０００３】
バックライト装置においては、大別してエッジライト方式と直下型方式とが知られている。
エッジライト方式は、冷陰極管（ＣＣＦＴ：Ｃｏｌｄ      Ｃａｔｈｏｄｅ    Ｆｌｕｏｒｅｓｃｅｎｔ    Ｔｕｂｅ）等の光源を平板状の導光板の側端部、即ち表示領域外に配設して、当該光源からの光を導光板内で多重反射させて光を均一にして面発光させることによって表示面を照明する方式である。
直下型方式は、導光板を用いずに液晶パネルの背面、即ち表示領域内に上記光源を配置し、該光源上に配設された拡散部材やレンズシート等を介して光を均一にして面発光させて表示面を照明する方式である。
最近では、ノート型パソコンや携帯情報端末などに用いられる２０インチ以下の画面サイズの小型液晶表示装置には、低消費電力化を図ることができるとともに薄型化の容易なエッジライト方式の採用が主流となっている。一方、２０インチ以上の画面サイズの中〜大型液晶表示装置においては、エッジライト方式を採用した場合、表示装置の中央付近が端部付近と比較して暗くなり易いため、直下型方式のバックライト装置が多く採用されている。
【０００４】
しかしながら、上述の直下型方式では、光源が表示装置の表示領域内に設置されているため、光源の光を十分に均一化できない場合、観察者が光源を視認してしまうことがあった。
特に光源と光学シートとの間隔が小さい場合には、光源から出射される光を光学シートによって十分に拡散して均一化することができない。したがって、観察者にとっては、光源の真上の部分が必要以上に明るくなるとともに光源と光源の間の部分が暗くなることで輝度ムラとして視認されてしまうため、光源と光学シートの間において光を拡散すべく十分な間隔を設ける必要があり、結果として、表示装置の厚型化や重量化の原因となってしまっていた。
【０００５】
そこで、近年では、例えば、縞模様やドット状の光量補正パターンを光拡散部材に印刷し、冷陰極管等の光源の真上に放射される光量を低減して、該光源から放射される光量を相対的に増やす手法（例えば、特許文献１参照）や、波型反射板を利用して、反射板からの反射光を光源と光源の中間に相当する領域へ集光する手法（例えば、特許文献２参照）が提案されている。
【０００６】
ところが、上記特許文献１に示す手法では、光量補正パターンによって出射面側に出射されるべき光の一部が遮断されるため、光源が放射する光量の利用率が低下し、十分な輝度が得られないという問題があった。また、上記特許文献２に示す手法では、バックライト装置の構成が必要以上に複雑になり、生産効率の観点から好ましくないという問題があった。
【０００７】
そこで、上記問題を解決するために、光拡散部材の表面にプリズム形状等のパターンを形成し、当該光拡散部材の表面形状でもって拡散効果を付与することによって、光の均一化を図るとともに輝度の低下を抑える手法が開示されている（例えば、特許文献３から５参照）。
【先行技術文献】
【特許文献】
【０００８】
【特許文献１】特開平６−２７３７６０号公報
【特許文献２】特開２００１−１７４８１３号公報
【特許文献３】特開平５−３３３３３３号公報
【特許文献４】特開平８−２９７２０２号公報
【特許文献５】特開２０００−１８２４１８号公報
【発明の概要】
【発明が解決しようとする課題】
【０００９】
しかしながら、上記特許文献１から３に記載された手法のように光拡散部材表面に単にプリズム状等のパターンを形成したのみでは、やはり光の均一化は完全とはならずに輝度分布の偏りが生じてしまい、若干の輝度ムラが生じることがあった。従って、より高画質のディスプレイ装置を実現するには、輝度分布がより一層均一な面発光可能な面光源装置の実現が望まれる。
【００１０】
この発明はこのような課題に鑑みてなされたものであって、輝度分布のムラが極めて少ない良好な表示品位の光学シート、バックライト装置及びディスプレイ装置を提供することを目的とする。
【課題を解決するための手段】
【００１１】
前記課題を解決するため、この発明は以下の手段を提案している。
即ち、本発明に係る光学シートは、入射面側から入射した光を、その光学特性を変換させて出射面側に出射する光学シートであって、前記入射面側から順に、光を拡散させる光拡散板と、前記入射面側から入射した光の一部を該入射面側に反射する再帰反射シートとを少なくとも備え、前記光拡散板は、その入射面又は出射面が凹凸状に形成されているとともに、前記再帰反射シートは、入射面側への光の反射率が２０〜７０％に設定されていることを特徴としている。
さらに、本発明に係る光学シートの前記再帰反射シートの前記反射率が、ランバート分布を有する拡散光を前記再帰反射シートの入射面側から前記再帰反射シートに入射した際に、前記拡散光の光線量に対する、前記再帰反射シートの入射面側から出射される光線量の比率であり、反射率が２０〜７０％であることを特徴とする光学シートである。
【００１２】
入射面側から入射された光は光拡散板によって拡散されながら出射面側に進行していく。この際、入射面に略垂直に進入した光、即ち正面方向に略平行な光は、入射面に角度をもって入射した光に比べて拡散率が低い。従って、この光がそのまま出射面側に出射された場合には輝度ムラが生じてしまうおそれがある。
この点、本発明の光学シートによれば、再帰反射シートを備えていることにより、正面方向に略平行な光の一部は該再帰反射シートでもって入射面側に反射される。従って、当該正面方向に平行な光の偏りによって部分的に正面輝度が高くなるのを抑制することができる。
ここで、再帰反射率とは、ランバート分布を有する拡散光を再帰反射シートの入射面側から入射した際に、再帰反射シートの再帰反射構造によって入射面側から出射される光線量の比率を表したものである。
ランバート分布とは、本発明でいう正面方向と、拡散光の進行方向とのなす角度θとした場合に、余弦角ｃｏｓθに比例する輝度分布である。
上述のランバート分布の場合、再帰反射率は、再帰反射シートの再帰反射構造が正面方向に略平行に進行する光を効率的に入射面側に出射する構造である程、再帰反射率は大きくなる。これは、ランバート分布では正面方向に略平行に進行する光の光線量の分布が多いためである。
この再帰反射率が２０％未満の場合、正面方向に平行である光の再帰反射が不十分となり、光源からの強い正面方向の光の偏りによりランプイメージとして視認されてしまう。一方、再帰反射率が７０％より大きい場合では、再帰反射シートから透過する光の量が少なくなり輝度が低下してしまう。発明に係る光学シートにおいてはこれらを勘案して、再帰反射シートの再帰反射率が２０〜７０％の範囲に設定されているため、輝度を高く維持しながら輝度分布を向上させることが可能となる。
【００１３】
また、本発明に係る光学シートにおいては、前記再帰反射シートが、断面凸多角形状をなす複数の線状プリズムが並列に配列されたプリズムアレイを備えていることを特徴としている。
これによって、再帰反射率を５０％程度に設定することができ、正面輝度の部分的偏りを適切に制御することが可能となる。
【００１４】
さらに、本発明に係る光学シートにおいては、前記プリズムアレイにおける前記線状プリズムの頂部が凸曲面状に形成されていることを特徴としている。
これにより、再帰反射率を適切な範囲に設定することが可能となるとともに、頂部が凸曲面状であることにより、摩擦や衝撃に対する耐久性を向上させることができる。
【００１５】
また、本発明に係る光学シートにおいては、前記再帰反射シートが、断面半円弧状又は断面半楕円弧状をなす線状レンズが並列配置されたレンズアレイを備えているものであってもよい。
これによって、再帰反射率を上記適切な範囲に設定することができるとともに、当該レンズアレイから出射する光の高角度での光の出射分布、即ちサイドローブを低減させることが可能となる。
【００１６】
また、前記反射シートが、２つの前記プリズムアレイを備え、これらプリズムアレイが互いの線状プリズムの延在方向を直交させて積層されているものであってもよく、前記反射シートが２つの前記レンズアレイを備え、これらレンズアレイが互いの線状レンズの延在方向を直交させて積層されているものであってもよい。
さらに、前記再帰反射シートが、断面凸多角形状をなす複数の線状プリズムが並列に配列されたプリズムアレイを備えるとともに、断面半円弧状又は断面半楕円弧状をなす線状レンズが並列配置されたレンズアレイを備え、これらプリズムアレイ及びレンズアレイが、それぞれの前記線状プリズムと前記線状レンズとの延在方向を直交させて積層されているものであってもよい。
これによって、再帰反射シートにおける再帰反射率を適切な範囲に抑え、正面輝度の部分的偏りを確実に低減させることが可能となる。
【００１７】
さらに、再帰反射シートが、断面凸多角形状をなす複数の線状プリズムが並列に配列されたプリズムアレイを備えるとともに、断面半円弧状又は断面半楕円弧凸曲面状なす線状レンズが並列配置されたレンズアレイを備え、これらプリズムアレイ及びレンズアレイが、それぞれの線状プリズムと線状レンズとの延在方向を直交させて同一平面上に配列されているものであってもよい。
これによっても、再帰反射シートにおける再帰反射率を適切な範囲に抑え、正面輝度の部分的偏りを確実に低減させることが可能となる。
【００１８】
また、本発明に係る光学シートにおいては、再帰反射シートが、多角錐状をなす複数のプリズムが格子状に配置されたプリズムアレイを備えているものであってもよい。
これにより、再帰反射率を適切な値に設定できるとともに、サイドローブを低減させて、二次元方向での集光が可能となる。
【００１９】
また、本発明に係る光学シートにおいては、前記再帰反射シートが、円錐状をなす複数のプリズムが格子状に配置されたプリズムアレイを備えていることを特徴としている。
これによっても、再帰反射率を適切な値に設定できるとともに、サイドローブを低減させて、二次元方向での集光が可能となる。
【００２０】
また、本発明に係る光学シートにおいては、前記再帰反射シートが、マイクロレンズが格子状に配置されたマイクロレンズアレイを備えているものであってもよい。
これによっても、再帰反射率を適切な値に設定することが可能となる。
【００２１】
さらに、本発明に係る光学シートにおいては、前記拡散部材の凹凸が中心線平均粗さＲａが３μｍ〜１０００μｍであることを特徴としている。
これにより好適な拡散性能を得ることができる。
【００２２】
本発明に係る光学シートにおいては、前記拡散部材と前記再帰反射シートとの間に少なくとも一枚の拡散フィルムを備えたことを特徴としている。
また、前記拡散部材の入射面側に拡散フィルムを備えたこものであってもよい。
さらに、前記再帰反射シートの出射面側側に拡散フィルムを備えたものであってもよい。
これにより比較的薄い拡散フィルムを採用することで、光の透過率を高く維持しながら、光拡散性を高めることが可能となる。
【００２３】
本発明に係るバックライト装置は、上記のいずれかに記載の光学シートと、該光学シートの入射面側に配設されていて光を照射する光源部とが備えていることを特徴としている。
このような特徴のバックライト装置においては、光学シートの再帰反射シートで光源側に再帰反射された光が、該光源の背面に位置する反射板にて反射されて再度光学シートに入射される。従って、光の利用効率を高くして輝度の低下を最小限に抑えながら、輝度ムラのない良好な面発光を行うことが可能となる。
さらに、上記のように再帰反射シートの再帰反射率が７０％以下に設定されていることにより、再帰反射シートと反射板との間で起こる再帰反射の回数を適切な値にすることができるため、光のロスが不必要に大きくなるのを防ぎ、当該光の利用率を高く維持することが可能となる。
【００２４】
本発明に係るディスプレイ装置は、上記のバックライト装置と、該バックライト装置からの光照射によって画像表示を行う液晶表示素子とを備えていることを特徴としている。
これによっても、上記バックライト装置と同様の作用効果を奏する。
【発明の効果】
【００２５】
本発明に係る光学シートによれば、再帰反射シートを採用したことにより、正面方向に平行な光の一部を該再帰反射シートでもって入射面側に反射することができるため、輝度ムラの発生を抑制することが可能となる。また、再帰反射シートの再帰反射率が２０〜７０％の適切な値に設定されていることで、輝度ムラを適確に抑制しながら正面輝度を高く維持することが可能となる。
また、本発明に係るバックライト装置及びディスプレイ装置によれば、上記反射シートによって光源側に再帰反射させた光を反射板で反射して再び光学シートに入射させること
ができるため、光の利用効率を向上させることが可能となる。従って、高輝度かつ輝度分布が均一である良好な表示品位を実現することが可能となる。
【図面の簡単な説明】
【００２６】
【図１】本発明の第一の実施形態に係るディスプレイ装置の概略構成を示す模式的な  断面図である。
【図２】光拡散板の凹凸構造を説明する図である。
【図３】再帰反射シートの再帰反射構造を説明する図である。
【図４】光拡散板における光の進行方向を説明する図である。
【図５】光源、光拡散板及び再帰反射シートの光の進行を説明する図である。
【図６】再帰反射シートにおける光の進行方向を説明する図である。
【図７】点光源の構成を説明する図である。
【発明を実施するための形態】
【００２７】
以下、本発明の実施の形態を添付図面に基づいて詳細に説明する。なお、本実施形態に係る光学シートについては、それを用いたバックライト装置、ディスプレイ装置とともに説明する。
【００２８】
図１は、本発明の実施形態によるディスプレイ装置の概略構成を示す模式的な断面図である。
図１に示すように、本発明の実施形態に係るディスプレイ装置１は、上方に光を照射するバックライト装置１０の上側に、液晶表示素子（画面表示部）２を重ねて設けることで構成される液晶表示装置であり、液晶表示素子２から上側に向けて画像信号によって表示制御された表示光を出射することで、平面状の画像を表示するものである。
以下では、このような配置に基づいて、図１の上方向を単に出射面側、下方向を単に背面側または入射面側と称する。
【００２９】
なお、このディスプレイ装置１は、液晶表示素子２を備える液晶表示装置であるとしているが、少なくともバックライト装置１０を含んで構成されていれば、投射スクリーン装置、プラズマディスプレイ、ＥＬディスプレイ等のように、バックライト装置１０からの光を表示光として画像表示を行う画像表示部の種類は問わない。
【００３０】
液晶表示素子２は、例えば矩形格子状に形成された複数の画素領域ごとに、画像信号に応じて光の透過状態を制御する表示素子またはパネル３と、この表示素子またはパネル３に入射する光の偏光方向を制御する偏光板４及び出射する光の偏光方向を制御する偏光板５とから構成される。
この液晶表示素子２は、駆動ユニットＭに接続されており、この駆動ユニットＭによって駆動されるようになっている。
【００３１】
バックライト装置１０は、液晶表示素子２の表示画面と略同一の面積の発光面を備えた発光装置であって、光源部１１と光学シート２０とが、当該光学シート２０を液晶表示素子２側に配置させるように積層されて構成されている。
【００３２】
光源部１１は、図１に示すように紙面奥行き方向に延びるライン状の発光部が図示左右方向に一定のピッチで離間して配置された複数の光源１２と、これら光源１２を背面側及び側方から覆って表示画面側に開口する反射板１３とで構成される直下型方式を採用している。
【００３３】
本実施形態においては、液晶表示パネルを照明する光源１２として細径の棒状の冷陰極管が用いられているが、これに限定されることはなく、ライン状の光源１２であればいかなる光源１２であってもよい。例えば、光源１２として、通常の蛍光管、冷陰極管、熱陰極管、外部電極管、列状に配置された発光ダイオード（以下、ＬＥＤとする）、半導体レーザを採用したものであってもよい。
また、紙面奥行き方向に延びる円柱状または角柱状の透明材質からなる導光体を用い、その導光体の上面および底面にＬＥＤを配置したＬＥＤ光源を光源の代わりに用いても良い。このようなＬＥＤ光源によれば、導光体の上面および底面からＬＥＤの光を入射して導光体の側面からＬＥＤの光を出射することができる。
【００３４】
また、本実施形態のバックライト装置１０において、隣接する線状の光源１２の中心間の距離は、１５ｍｍ〜１５０ｍｍに設定されており、特に２０ｍｍ〜１００ｍｍに設定されていることが好ましい。これによって、直下型のバックライト装置１０の消費電力を低減できるとともに、当該装置の組み立てが容易になり、かつ発光面の輝度ムラを抑えることができる。
また、上記のように隣接する線状の光源１２の中心間の距離は、すべての光源１２間において均一となっていてもよいし、部分的に間隔を変化させたものであってもよい。
さらに、このような線状の光源１２の本数は特に限定されることはなく、例えば本発明の直下型バックライト装置を３２インチの液晶表示装置に用いる場合には、線状光源の数を例えば１６本、１４本、１２本、８本等の偶数本にしてもよく、その他奇数本としたものであってもよい。
【００３５】
一方、反射板１３は、上述のように複数配列された光源１２の背面及び側面を断面略コの字型となるようにして覆っており、これによって光源１２から側方又は背面側に放射された光が該反射板１３によって反射されることで光学シート２０側に向かうようになっている。
【００３６】
光学シート２０は上記光源部１１から表示画面側に出射される光の一部を集光して、表示画面側に透過させるとともに、他の光を光源部１１側に反射して該光源部１１に再入射させるものであって、本実施形態においては、図１に示すように、背面側から表示画面側に向けて、光拡散板２１、拡散フィルム２２、再帰反射シート２３、拡散フィルム２２、拡散フィルム２２の計５つの部材がこの順で積層されて構成されている。
【００３７】
光拡散板２１は、略板状をなす透明樹脂に光拡散領域が分散配置されることにより形成されている。
該光拡散板２１を構成する透明樹脂としては、熱可塑性樹脂、熱硬化性樹脂などを用いられ、例えば、ポリカーボネート樹脂、アクリル系樹脂、フッ素系アクリル樹脂、シリコーン系アクリル樹脂、エポキシアクリレート樹脂、ポリスチレン樹脂、シクロオレフィンポリマー、メチルスチレン樹脂、フルオレン樹脂、ポリエチレンテレフタレート（ＰＥＴ）、ポリプロピレンなどが採用されている。
【００３８】
また、光拡散領域は、好適な拡散性能を比較的容易に得ることが可能な光拡散粒子からなることが好ましい。
該光拡散粒子としては、無機酸化物または樹脂からなる透明粒子等が用いられる。前者の無機酸化物からなる透明粒子としては、例えば、シリカ、アルミナなどが採用される。
また、後者の樹脂からなる透明粒子としては、アクリル粒子、スチレン粒子、スチレンアクリル粒子及びその架橋体、メラミン−ホルマリン縮合物の粒子、ＰＴＦＥ（ポリテトラフルオロエチレン）、ＰＦＡ（ペルフルオロアルコキシ樹脂）、ＦＥＰ（テトラフルオロエチレン−ヘキサフルオロプロピレン共重合体）、ＰＶＤＦ（ポリフルオロビニリデン）、及びＥＴＦＥ（エチレン−テトラフルオロエチレン共重合体）等のフッ素ポリマー粒子、シリコーン樹脂粒子等が用いられる。
なお、光拡散粒子として、これらの透明粒子から２種類以上の透明粒子を組み合わせたものであってもよい。また、透明粒子の大きさ、形状は、特に規定されず設計に応じて適宜種々のものを使用することが可能である。
【００３９】
光拡散領域として上記の光拡散粒子を用いた場合には、光拡散板２１の厚さが０．１〜５ｍｍであることが好ましい。
光拡散板２１の厚みが０．１〜５ｍｍである場合には、最適な拡散性能と輝度を得ることができる。一方、０．１ｍｍ未満の場合には、拡散性能が足りず、５ｍｍを超える場合には、樹脂量が多いため吸収による輝度低下が生じる。
【００４０】
一方、透明樹脂として熱可塑性樹脂を用いた場合には、光拡散領域として熱可塑性樹脂の内部に気泡を形成したものであってもよい。当該気泡の内部表面が光の乱反射を生じさせることによって、光拡散粒子を分散させた場合と同等以上の光拡散機能を発現させることができる。これによって、光拡散板２１の膜厚をより薄くすることが可能となる。
【００４１】
この場合の光拡散板２１としては、白色ＰＥＴや白色ＰＰなどを挙げることができる。白色ＰＥＴは、ＰＥＴと相溶性のない樹脂や酸化チタン（ＴｉＯ２  ）、硫酸化バリウム（ＢａＳＯ４  ）のようなフィラーをＰＥＴに分散させた後、該ＰＥＴを２軸延伸法で延伸することにより、該フィラーの周りに気泡を発生させて形成する。
【００４２】
なお、熱可塑性樹脂からなる光拡散板２１は、少なくとも１軸方向に延伸されていればよく、フィラーの周りに適切に気泡を発生させることができる。
【００４３】
熱可塑性樹脂としては、例えば、ポリエチレンテレフタレート（ＰＥＴ）、ポリエチレン−２、６−ナフタレート、ポリプロピレンテレフタレート、ポリブチレンテレフタレート、シクロヘキサンジメタノール共重合ポリエステル樹脂、イソフタル酸共重合ポリエステル樹脂、スピログリコール共重合ポリエステル樹脂、フルオレン共重合ポリエステル樹脂等のポリエステル系樹脂、ポリエチレン、ポリプロピレン、ポリメチルペンテン、脂環式オレフィン共重合樹脂等のポリオレフィン系樹脂、ポリメチルメタクリレート等のアクリル樹脂、ポリカーボネート、ポリスチレン、ポリアミド、ポリエーテル、ポリエステルアミド、ポリエーテルエステル、ポリ塩化ビニル、シクロオレフィンポリマー，アクリロニトリルポリスチレン共重合体およびこれらを成分とする共重合体、またはこれら樹脂の混合物などを用いることができるが、特に限定されることはない。
【００４４】
光拡散領域として気泡を用いた場合には、光拡散板２１の厚さが２５〜５００μｍであることが好ましい。
光拡散板２１の厚さが２５μｍ未満の場合には、シートのコシが不足し、製造工程やディスプレイ内でシワを発生しやすくなるので好ましくない。また、光拡散板２１の厚さが５００μｍを超える場合には、光学性能に格別問題はないが、剛性が増すためロール状に加工しにくい、スリットが容易にできないなど、従来の光拡散板と比較して得られる薄さのメリットが少なくなるので好ましくない。
【００４５】
そして、本実施形態においては、以上のように種々の光拡散板２１の出射面には凹凸構造２１ａが形成されている。この当該凹凸構造２１ａによって光拡散板２１の拡散効果をさらに増大させて、出射する光の均一性をより向上させることができる。
このような凹凸構造２１ａは、中心線平均粗さＲａが３μｍ〜１，０００μｍであるプリズム形状、またはレンズ形状をなしている。その具体的形状としては、図２（ａ）〜（ｉ）に示すような形状を適宜採用することができる。即ち、凹凸構造２１ａとして、（ａ）三角形プリズムアレイ状のもの、（ｂ）三角形プリズムアレイを構成する線状プリズムの頂点が丸みを帯びているもの、（ｃ）波型状のもの、（ｄ）断面半円弧状の線状レンズが並列配置されたレンズアレイ状のもの、（ｅ）レンズアレイ状を構成する線状レンズの頂点にＶ字の溝が刻まれたもの、（ｆ）非対称レンズアレイ状のもの、（ｇ）レンズアレイを構成する線状レンズの高さが交互に異なるもの、（ｈ）等脚台形状の凹凸が設けられたもの、（ｉ）五角形プリズムアレイ状のもの等と採用することができる。また、凹凸構造２１ａはこれらに限定されるものではなく、この他の形状を採用したものであってもよい。
【００４６】
なお、プリズムアレイ状の場合、線状プリズムは上記三角形状及び五角形状のような多角形が好ましく、そのプリズム頂角は４０度〜１７０度、プリズムのピッチは２０μｍ〜７００μｍが好ましい。またこの他、プリズム形状としては、角錐形状、角錐台形状でもよい。また上述の凹凸形状は、凹凸形状に入射する光の照度または輝度に対応して形状を変化してもよく、例えば、凹凸形状に入射する光の照度または輝度が大きい領域では、上述のプリズム頂角を小さくしてもよい。さらに、この場合の光拡散板の全光線透過率は４０％以上９８％以下、ヘイズは２０％〜１００％、吸水率は０．２５％以下が好ましい。
【００４７】
また、光拡散板２１の拡散効果は、凹凸構造をストライプ状の三角プリズム形状、球面プリズム形状、レンズ形状などに形成した場合、上述のストライプ構造に直交した方向に強く拡散される。そのため、線状の光源１２と組み合わせて使用する場合は、線状の光源１２の長手方向と、ストライプ方向を略平行にすることが好ましい。
【００４８】
また凹凸構造２１ａを角錐形状、角錐台形状、フレネルレンズ、マイクロレンズなどの二次元構造に成形した場合、光拡散板の拡散効果は、光拡散板の拡散効果は、面方向に発生する。このため、点光源と組み合わせて使用する場合は、凹凸構造２１ａを角錐形状、角錐台形状、フレネルレンズ、マイクロレンズなどの二次元構造に成形することが好ましい。
【００４９】
再帰反射シート２３は、光拡散板２１から出射されて拡散フィルム２２を通過した光の一部を光源１１側へ再帰反射する再帰反射構造２３ａを備えており、上記の光拡散板２１に対して平行に積層されるように配置されている。また、この再帰反射シート２３の再帰反射率は、再帰反射構造２３ａが下記のような態様をなしていることにより２０〜７０％に設定されている。
【００５０】
この再帰反射構造２３ａとしては、例えば図３（ａ）に示すような断面凸多角形状をなす複数の線状プリズム、即ち断面が頂角９０°の直角三角形状をなす線状プリズムが並列に配列されたプリズムアレイを採用したものであってもよい。この場合は再帰反射率は４８％程になるが、頂角の角度を適宜変更することで再帰反射率を所望の値に設定することが可能となる。
【００５１】
また、再帰反射構造２３ａとして、例えば図３（ｂ）に示すように、上記プリズムアレイにおける各線状プリズムの頂部が丸みを帯びるようにして凸曲面状に形成されたものであってもよい。この凸曲面の曲率及び範囲を適宜変更することで、所望の再帰反射率を得ることが可能になる。また、頂角が丸みを帯びていることにより、摩擦や衝撃に対する耐久性を向上させることが可能となる。
また、この場合の再帰反射率は４７％程になる。
【００５２】
さらに、再帰反射構造２３ａとして、断面半円弧状又は断面半楕円弧状の凸曲面状なす線状レンズが並列配置されたレンズアレイを採用したものであってもよい。このような線状レンズを用いた具体例としては、図３（ｃ）に示すように凸曲面と凹曲面とが交互に配置された波型状の再帰反射構造であってもよいし、図３（ｄ）に示すような断面半円弧状の線状レンズが並列配置されたものや、図３（ｅ）に示すように、断面半円弧状の線状レンズの頂部にＶ字のスリットが刻まれたものであってもよい。また、図３（ｇ）に示すように、断面半円弧状の線状レンズと断面半楕円弧状の線状レンズとが交互に並列配置されたものであってもよい。
なお、図３（ｄ）に示すような断面半円弧状の線状レンズが並列配置された再帰反射構造２３ａの場合、その再帰反射率は４１％程度になる。
【００５３】
また、再帰反射構造２３ａとして、図３（ｈ）に示すように、再帰反射シート２３の出射面側に断面半円弧状の凸曲面状をなす線状レンズが並列配置されたレンズアレイを備えるとともに、入射面側に凹部を形成して当該凹部の底面にレンズ形状が形成されたものであってもよい。さらに、図３（ｉ）に示すように、再帰反射構造２３ａとして、出射面側に上記レンズアレイを備えるとともに、入射面にも出射面側のレンズアレイよりも各線状レンズの断面径の小さいレンズアレイを配設したものであってもよい。
【００５４】
また、再帰反射構造２３ａとしては、楕円形状を基準として、高次項アルゴリズムにより形状補正を加えた非球面形状としてもよい。この場合、形状補正を変更することで、再帰反射率を適宜設計することが可能となる。
【００５５】
以上のように、再帰反射構造２３ａとしてレンズアレイを用いた場合には多角形状のプリズムアレイと比較して、高角度での光の出射分布、いわゆるサイドローブの低減が可能となる。
【００５６】
さらに、再帰反射構造２３ａとしては、多角錐構造である複数のプリズムが格子状に配列されたものであってもよく、例えば、正四角錐形状である複数のプリズムを格子状に配設したものや、正三角錐形状である複数のプリズムを格子状に配設したものが挙げられる。この場合、頂角の角度を適宜変更し、また頂角に丸みを設けてその曲率や範囲を適宜変更することで、所望の再帰反射率を得ることが可能となる。なお、頂角が９０°の四角錐状のプリズムの場合、再帰反射率は４８％程になる。また、このように多角錐構造である複数のプリズムが格子状に配設ことで、サイドローブ光を低減させるとともに、２次元方向での集光が可能となる。
【００５７】
再帰反射構造２３ａとしては、円錐状の複数のプリズムが格子状に並んでいる構造でもよく、円錐の頂角を９０度に設定した場合その再帰反射率は４７％程度になる。なお。この円錐の頂角の角度、あるいは、頂角に丸みを設けることで、再帰反射率を適宜設計することが可能となる。
多角錐構造である複数のプリズムが格子状に並べることで、サイドローブの低減、２次元方向での集光が可能となる。
【００５８】
さらに、再帰反射構造２３ａとしては、例えば図３（ｊ）に示すように、２つのレンズアレイがその線状レンズの延在方向が平行となるように積層されたものであってもよい。これにより再帰反射率を比較的高いものとすることができる。
【００５９】
また図示は省略するが、再帰反射シート２３が再帰反射構造２３ａとして２つの上記プリズムアレイを備えて、これらプリズムアレイが互いの線状プリズムの延在方向を直交させて積層されているものであってもよいし、２つの上記レンズアレイを備えて、これらレンズアレイが互いの線状レンズの延在方向を直交させて積層されているものであってもよい。さらに、再帰反射構造２３ａとして、上記のようなプリズムアレイとレンズアレイとを備え、これらがその線状プリズム及び線状レンズの延在方向を直交させて積層されているものであってもよい。これによって、再帰反射シート２３における再帰反射率を適切な範囲に設定することができる。
【００６０】
また、再帰反射シート２３における再帰反射構造２３ａとして、上記のようなプリズムアレイと、上記のようなレンズアレイを備え、これらプリズムアレイ及びレンズアレイが、それぞれの線状プリズムと前記線状レンズとの延在方向を直交させて同一平面上に配列されたものであってもよい。
これによっても、適切な再帰反射率を得ることが可能となる。
【００６１】
さらに、再帰反射構造２３ａとして、略半円球形状または略半楕円形状の複数のマイクロレンズが、格子状に配設されたものであってもよい。この場合の再帰反射率は５５％程度になる。
【００６２】
なお、上記のような再帰反射構造２３ａは、再帰反射シート２３のシート面に直交する断面形状が略対称な形状であることが好ましい。略対称な形状にした場合、再帰反射シートの出射光の分布も略対称になる。この場合、特定方向の観賞方向での明るさが変わることがなく、好ましい画像が得られる。
一方、再帰反射構造２３ａを、例えば図３（ｆ）に示すように、再帰反射シート２３のシート面に直交する断面形状が非対称な形状とされたものであってもよい。この場合、再帰反射シート２３の出射光の分布も非対称になる。ここで、ディスプレイ装置１の設置場所によっては、画面の上方向、または下方向から観賞することがない場合があり、その際には、観賞しない方向を暗くして、観賞する方向をより明るくすることが好ましい。したがって、上記のように再帰反射構造２３ａを非対称な形状にすることで、所望の配光分布を得ることが可能となる。非対称な形状の例として、断面形状の一方が曲線形状であり、他方が直線形状で形成され、曲線形状と直線形状が丸みを有して連結されている非対称形状プリズムが挙げられる。
【００６３】
さらに、上述では再帰反射構造２３ａと空気との屈折率差による全反射を利用した再帰反射について説明したが、本発明ではこれに限定されず、この他の例として、金属材料や白色反射材などの光反射性部材を再帰反射シート２３に形成して再帰反射を生じさせるものであってもよい。
例えば、再帰反射構造２３ａの直ぐ背面側に光反射性部材が配設されたものであってもよい。該光反射部材は再帰反射構造２３ａの凹凸の谷部となる部分に対応するように所定のピッチで設けられ、これによって再帰反射率は５０〜７０％の範囲に設定される。また、この場合であっても再帰反射構造２３ａは上記のようなプリズム形状やレンズ形状の他、いかなる形状であってもよく、光反射部材の面積率も適宜設計することが可能である。
【００６４】
このような再帰反射シート２３の製造方法として、透光性基材上にＵＶや放射線硬化樹脂（ＵＶや放射線で硬化する材料を含む樹脂であれば特に種類は限定しない）を用いて成形する方法が挙げられる。ここで透光性基材としては、ＰＥＴ（ポリエチレンテレフタレート）、ＰＰ（ポリプロピレン）、ＰＣ（ポリカーボネート）ＰＭＭＡ（ポリメチルメタクリレート）、ベンジルメタクリレートやＭＳ樹脂、その他のアクリル系樹脂、あるいはＣＯＰ（シクロオレフィンポリマー）  等の光学的に透明な部材を使用するのが好ましい。
またはＰＥＴ（ポリエチレンテレフタレート）、ＰＣ（ポリカーボネート）、ＰＭＭＡ（ポリメチルメタクリレート）、ＣＯＰ（シクロオレフィンポリマー）、ＰＡＮ（ポリアクリロニトリル共重合体）、ＡＳ（アクリロニトリルスチレン共重合体）等が用いられ、当該技術分野では周知の押し出し成形法、射出成型法、あるいは熱プレス成型等によって形成される。
【００６５】
拡散フィルム２２は、上記光拡散板２１よりも薄く形成された光拡散効果を備えたフィルムであって、本実施形態においては光拡散板２１と再帰反射シート２３との間に一枚、及び再帰反射シート２３の出射面側に二枚が設置されている。なお、当該拡散フィルム２２の設置枚数及び設置箇所は、図１に示すものに限られることはなく、光拡散板２１の出射面側に配置してもよいし、同じ箇所に二枚、もしくは三枚以上が積層されて配置されていてもよい。
なお、拡散フィルム２２はシワの発生を防ぐためのある程度の厚みを備えていることが必要であり、その厚さは２００μｍ以上あることが好ましい。
【００６６】
なお、以上のような構成からなる光学シート２０の配置については、該光学シート２０の最も背面側に位置する光拡散板２１と光源１２の中心位置との最短距離が１ｍｍ〜３０ｍｍに設定されており、特に３ｍｍ〜２５ｍｍに設定されていることが好ましい。
【００６７】
なお、上述した光拡散板２１と再帰反射シート２３との設置に際しては、光拡散板２１の凹凸構造２１ａのパターンと、再帰反射シート２３の再帰反射構造２３ａのパターンとの干渉で発生するモアレを防止するため、光拡散板２１の凹凸構造２１のパターンの長手方向と、再帰反射シート２３の再帰反射構造２３ａのパターンの長手方向とを任意の角度を有して交差させて設置してもよい。これによって、モアレの低減が可能となり、光拡散板２１と再帰反射シート２３との間に設置された拡散フィルム２２の数を減らすことが可能となる。
【００６８】
以下、ディスプレイ装置１の作用について、バックライト装置１０の作用を中心に説明する。
光源部１１における線状の光源１２から出射された光は、一部が光源１２から直接的に光学シート２０に向けて出射され、他の光は反射板１３によって反射された後に光学シート２０に向けて出射される。このとき、光源１２の配置ピッチに対応する照度ムラは、反射板２１の作用によって緩和されるものの、ある程度は残存している。
【００６９】
光学シート２０に至った光は、まず光学シート２０のうち最も背面側に設置された光拡散板２１に入射する。
この光拡散板２１に入射する光のうち、光源１２から看者側に向って入射した光、即ち光拡散板２１の法線方向（以下、正面方向Ｆとする）に入射した光は、光拡散板２１の内部にて拡散されるとともに、光拡散板２１の凹凸構造２１ａによってさらに拡散される。
【００７０】
この際、凹凸構造２１ａから出射される光の出射角度は、凹凸構造２１ａの表面が光拡散板２１の面方向に対してなす傾斜角の大きさによって変化する。
即ち、例えば図４に示すように、光拡散板２１に入射した光が、凹凸構造２１ａの表面の傾斜角度が最も小さい箇所、即ち凸部の頂点近傍から出射する場合（光線Ａ）には、出射角度が大きく変化せずにそのまま直進していく。一方、凹凸構造２１ａの表面の傾斜角度がある程度大きな箇所、即ち凸部の頂点と凹部の頂底部の間の傾斜部分から出射する場合（光線Ｂ）は、大きく出射角度が変化させられて進んでいく。
即ち、光拡散板２１に正面方向Ｆに平行に入射し凹凸構造２１ａの頂部から出射される光は正面方向Ｆとの平行性を保ったまま直進するが、光拡散板２１に傾斜して入射した光及び凹凸構造２１ａの表面の傾斜部分から出射される光は正面方向Ｆを基準に一定の広がり角をもって出射されることになる。これによって、例えば図５に示すように、光源１２から一定の広がり角φ１で光拡散板２１に入射した光は、当該光拡散板２１で拡散されることで、光拡散板２２透過時には、広がり角φ１よりも大きな広がり角φ２を有して出射される。
【００７１】
上記のように光拡散板２１から出射された光は、拡散フィルム２２を通過して再帰反射シート２３に入射する。この拡散フィルム２２が設置されていることで、光拡散板２１の凹凸構造２１ａと再帰反射シート２３の再帰反射構造２３ａとの干渉で発生するモアレを防ぐことが可能となる。また、拡散板２１から出射された光をより拡散させることができるため、光の均一化をより一層図ることができる。
【００７２】
ここで、光拡散板２１及び拡散フィルム２２を通過した光であっても、正面方向Ｆに略平行の光は、他の光と比較して大きく拡散されていない。そのため、光拡散板２１から出射された光は、正面方向Ｆに略平行の光が最も光線量が多いため、このままでは、看者側からランプイメージとして視認されてしまう。
【００７３】
これに対し、本実施形態のバックライト装置１０においては、再帰反射シート２１が設けられていることにより、上記ランプイメージをより低減させることができる。
即ち、例えば図５及び図６に示すように、光拡散板２１及び拡散フィルム２２を通過して再帰反射シート２３に至った光のうち正面方向Ｆに略平行な光は、再帰反射構造２３ａ中で全反射を繰り返すことで、背面側に向かって再帰反射される（光線Ｃ１）。これにより、正面方向Ｆに略平行な光の光線量が低減されるため、部分的な光線量の隔たりを抑制しランプイメージを消し去ることができる。
【００７４】
また、このように再帰反射構造２３ａで再帰反射された光は、光源１２の背面側に設置された反射板１３にて反射して再び光学シート２０に至り画像を表示する光として再利用される。これによって光の利用効率を高くすることができる。
一方、図６に示すように、再帰反射シート２３の入射面に対して入射角を有して入射した光は、再帰反射されずに、再帰反射構造２３ａの表面から屈折して液晶表示素子側に出射され、正面方向Ｆと略平行となるように立ち上げられて出射される（光線Ｃ２）。
従って、光源１２が放射する光の利用効率を高くしつつ、再帰反射シート２３を通過する光を正面方向Ｆに立ち上げることができるため、正面輝度を高く維持することが可能となる。
【００７５】
ここで、再帰反射シート２３の再帰反射率が２０％未満の場合、正面方向Ｆに略平行である光の再帰反射が不十分となり、光源からの強い正面方向Ｆの光がランプイメージとして看者側から視認されてしまうことになる。
一方、再帰反射率が７０％より大きい場合では、再帰反射シート２３から透過する光の量が少なくなり輝度が低下してしまうとともに、光が再帰反射シート２３を透過するまでの再帰反射回数が統計的に増えてしまい、再帰反射による光のロス量が大きくなってしまうため光の利用効率が低下してしまう。
これらを勘案して本実施形態における再帰反射シート２３においては、再帰反射率が２０％〜７０％に設定されているため、輝度分布を分散させてランプイメージを低減することができるとともに、光の利用効率を高く維持して正面輝度を向上させることが可能となる。
【００７６】
そして、再帰反射シート２３を通過した光は、２枚の拡散フィルム２２、２２を通過することでより広範囲に拡散されながら、液晶表示素子２の偏光板４、表示素子またはパネル３及び偏光板５を介して、所定の画素領域から光が表示光として透過され、視野角を有する画像が表示される。
【００７７】
以上のように、本実施形態に係るディスプレイ装置１、バックライト装置１０及び光学シート２０によれば、再帰反射シート２３を採用したことにより、正面方向Ｆに平行な光の一部を該再帰反射シート２３でもって入射面側に反射することができるため、輝度ムラの発生を抑制することができる。また、再帰反射シート２３の再帰反射率が２０〜７０％の適切な値に設定されていることで、輝度ムラを適確に抑制しながら正面輝度を高く保つことができる。
さらに、再帰反射シート２３によって光源１２側に再帰反射させた光を反射板１３で反射して再び光学シート２０に入射させることができるため、光の利用効率を向上させることができ、高輝度かつ輝度分布が均一である良好な表示品位を実現することが可能となる。
【００７８】
以上、本発明の実施形態である光学シート２０、バックライト装置１０及びディスプレイ装置１について説明したが、本発明はこれに限定されることなく、その発明の技術的思想を逸脱しない範囲で適宜変更可能である。
例えば、本実施形態においては光源１２として線状光源を用いたものを説明したが、これに限定されず、変形例として点光源３０を用いたものであってもよい。以下、この点光源３０の例を示す。
【００７９】
図７（ａ）に示す点光源３０は、携帯電話などのモバイル機器に用いられる青色に発光する青色ＬＥＤ素子３１を、ＬＥＤ用レンズ３２内部に塗工された黄色に発光する蛍光体３３で覆い、擬似白色に発光する方式の白色ＬＥＤ３４である。
この方式では単色の青色ＬＥＤ素子３１に蛍光体３３を覆うだけで擬似白色発光が実現できるといった生産上の観点からの利点ある。また、この白色ＬＥＤ３４においては、蛍光体３３を２種類以上用いたものであってもよい。
【００８０】
図７（ｂ）に示す点光源３０は、図７（ａ）に示した白色ＬＥＤ３４におけるＬＥＤ用レンズ３２にプリズム形状３５を付加したものである。このようにプリズム３５を用いることにより、出射される光の配光分布を調整することが可能となる。
【００８１】
図７（ｃ）は、擬似白色発光するＬＥＤの他の方式として、単色に発光するＬＥＤ素子３７（赤色ＬＥＤ素子３７ａ、緑色ＬＥＤ素子３７ｂ、青色ＬＥＤ素子３７ｃ）を組み合わせて、擬似白色に発光する方式である。この場合、上述のような図７（ａ）の場合と比較して、蛍光体３３がＬＥＤ素子からの発熱で劣化する問題を回避でき、また各ＬＥＤ素子３７ａ、３７ｂ、３７ｃの光量を調節することで任意の色彩を得ることが可能となる。
【００８２】
図７（ｄ）は、単色に発光する単色ＬＥＤ３８（赤色ＬＥＤ３８ａ、緑色ＬＥＤ３８ｂ、青色ＬＥＤ３８ｃ）を組み合わせて点光源ユニット３９として構成したものである。このような点光源ユニット３９を形成することで、各色の単色ＬＥＤ３８を時分割で発色させるフィールドシーケンシャル法を用いてカラー表示させる構成にすることも可能である。
また、点光源ユニット３９を形成する場合ＬＥＤの数は限定されない。さらに、隣接する点光源ユニット同士３９では発光色を互いに異なるものとすることが好ましい。
【００８３】
なお、上記点光源ユニット３９は、色彩の異なった単色ＬＥＤ３８を組み合わせるのみならず、同色の単色ＬＥＤ３８（例えば光出力が弱い緑色ＬＥＤ）を複数配置させて点光源ユニット３９をしたものであってもよい。
【００８４】
さらに、図７（ａ）〜（ｃ）に点光源を組み合わせて点光源ユニット３９を構成してもよく、例えば、白色ＬＥＤ３４と、単色ＬＥＤである赤色ＬＥＤとを組み合わせて点光源ユニット３９を構成してもよい。このように構成することで、赤色ＬＥＤの赤色光を発光することにより、白色ＬＥＤの白色光に赤色を補色することが可能となる。そのため、色再現性の向上が可能となる。
【００８５】
また、上述の点光源３０及び点光源ユニット３９を場所ごとに分割駆動する構成としてもよい。これにより、明るい画像を表示する場所の点光源３０及び点光源ユニット３９を発光し、暗い画像を表示する場所の点光源３０及び点光源ユニット３９を消灯、または発光量を小さくすることで、明暗の差が大きくなりコントラストを大きくすることが可能となる。
【００８６】
また点光源としては上述のＬＥＤに限定されず、単色の半導体レーザーの光を、ファイバに通して混色し、半導体レーザー用レンズから出射してものであってもよい。その他、通常の蛍光ランプ、ハロゲンランプであってもよい。
【００８７】
点光源３０及び点光源ユニット３９の配置の態様としては、格子状に配置したもの、格子状に加えて当該格子状を構成する４つの点光源の対角線の交点にも点光源３０及び点光源ユニット３９を配置したもの、正六角形が連続して形成されたハニカム構造の各頂点に点光源３０及び点光源ユニット３９をそれぞれ配置したもの等、適宜採用することができる。
【００８８】
以上のような態様において、点光源３０及び点光源ユニット３９間の距離は、すべての箇所で均一となっていてもよいし、部分的に変化していてもよい。部分的に変化する場合とは、例えば、直下型バックライト装置の中央箇所などにおいて点光源間の間隔が狭まるような場合等である。
【００８９】
また、点光源ユニット３９を配置する場合にあっては、当該点光源ユニット３９の中心間の距離は、１５ｍｍ〜１５０ｍｍ、特に２０ｍｍ〜１００ｍｍであることがより好ましい。これによって、直下型バックライト装置の消費電力を低減できるとともに、当該装置の組み立てが容易になり、かつ発光面の輝度ムラを抑えることができる。
【００９０】
さらに、点光源３０及び点光源ユニット３９の中心位置と光拡散板２１の入射面との最短距離の寸法は、直下型バックライト装置の厚みと輝度の均一度を考慮して設計すればよいが、１ｍｍ〜３０ｍｍであることが好ましく、特に３ｍｍ〜２５ｍｍであることがより好ましい。これによって輝度ムラを低減できるとともに、点光源３０の発光効率の低下を防ぐことができる。あわせて、バックライト装置１０全体の厚さを薄くできる。
【実施例】
【００９１】
上述の実施形態における光学シートについて、再帰反射シートの再帰反射構造を様々な形状にした場合における再帰反射率、影消し効果及び輝度の良否についての測定を行った。
具体的な再帰反射構造の形状として、三角プリズムについては頂角が３０°（実施例１）、６０°（実施例２）、９０°（実施例３）、１２０°（実施例４）、１５０°（実施例５）のものを測定した。
その他、曲面プリズム状のもの（実施例６）、断面略円形状のシリンドリカルレンズ状のもの（実施例７）、略半球形状をなす単位レンズが格子状に配列されたマイクロレンズ状のもの（実施例８、）略四角錐状（頂角９０°）の単位レンズが格子状に配列されたもの（実施例９）、出射面側にレンズ形状を備えるとともに当該レンズ形状の直ぐ入射面側に反射層面積率６０％で反射層を備えたもの（実施例１０）について測定した。
また、比較例として、頂角が３０°の三角プリズム（比較例１）及び出射面側にレンズ形状を備えるとともに当該レンズ形状の入射面側に反射層面積率８０％の反射層を備えたもの（比較例２）について測定した。
表１に上記測定結果を示す。
【００９２】
【表１】
2009265616.tif 000003
【００９３】
表１から分かるように、実施例１から実施例１０については再帰反射率が２０〜７０％の範囲内の値を示しており、影消し効果、輝度がともに良好である。
一方、比較例１については再帰反射率が１５％を示しており、これにともなって影消し効果について良好な結果が得られなかった。また、比較例２については再帰反射率が７５％を示しており、輝度について良好な結果が得られなかった。
したがって、再帰反射率が２０〜７０％に納まっている実施例１〜１０においては、輝度を高く維持しながら輝度分布を向上させることが可能であることがわかった。
【符号の説明】
【００９４】
１                      ディスプレイ装置
２                      液晶表示素子
１０        バックライト装置
１１        光源部
１２        光源
１３                  反射板
２０                  光学シート
２１                  光拡散板
２１ａ                凹凸形状
２２                  拡散フィルム
２３                  再帰反射シート
２３ａ    再帰反射構造
【図１】
2009265616.tif 000004
【図２】
2009265616.tif 000005
【図３】
2009265616.tif 000006
【図４】
2009265616.tif 000007
【図５】
2009265616.tif 000008
【図６】
2009265616.tif 000009
【図７】
2009265616.tif 000010